(57)【要約】【課題】個々の番組の評価結果を総合的に利用して、番組選択を行うことができるような判断材料を提供することができる。【解決手段】  解析部６１−１乃至７１−７は、それぞれ所定の番組情報（視聴率、番組説明、キーワード、放送開始時刻、終了時刻、出演者、番組の感想およびその数、番組紹介情報の再利用の回数、番組Ｐ１のオフィシャルサイトを介して受け付けたコメントの数、利用履歴）を数値化し、その結果得られた解析値Ａ１乃至Ａ７を、評価部５３に供給する。評価部５３は、解析部５２から供給された解析値Ａ１乃至Ａ７に基づいて、番組を６個の評価項目について評価する。その評価結果は、まとめて図式化され、表示される。【選択図】図６
2006060600.tif 000002
【特許請求の範囲】
【請求項１】
番組の番組情報を取得する取得手段と、
前記番組情報を数値化する数値化手段と、
前記数値化手段による数値化により得られた数値に基づいて、前記番組を評価する評価手段と、
前記評価手段による評価結果をまとめて図式化する図式化手段と、
前記図式化手段により図示化された前記評価結果を提示する提示手段と
を備えることを特徴とする情報処理装置。
【請求項２】
前記番組情報は、所定の要素を含んで構成されており、
前記数値化手段は、前記要素毎に数値化を行い、
前記評価手段は、前記数値化手段による数値化の結果得られた所定の前記要素の数値に基づいて、前記番組を評価する
ことを特徴とする請求項１に記載の情報処理装置。
【請求項３】
前記取得手段は、所定の番組の視聴率、番組説明、キーワード、放送時間に関する情報、番組の出演者に関する情報、番組紹介サイトに寄せられた番組の感想とその数、番組紹介情報の再利用の回数、前記番組のオフィシャルサイトに寄せられたコメントの数、所定の端末の前記番組の利用履歴を取得し、
前記数値化手段は、
前記番組説明および前記番組紹介サイトに寄せられた感想を第１の要素とし、
前記キーワードを第２の要素とし、
前記放送時間に関する情報を第３の要素とし、
前記番組紹介サイトに寄せられた前記番組の感想の数および前記番組オフィシャルサイトに寄せられたコメントの数を第４の要素とし、
前記番組紹介情報の再利用の回数を第５の要素とし、
前記視聴率と前記利用履歴を第６の要素とし、
前記番組の出演者に関する情報を第７の要素として、
前記第１の要素乃至前記第７の要素毎に数値化を行う
ことを特徴とする請求項２に記載の情報処理装置。
【請求項４】
前記評価手段は、前記第１の要素の数値、前記第２の要素の数値、前記第４の要素の数値、前記第５の要素の数値、および前記第６の要素の数値に基づいて、前記第３の要素の数値に基づいて、前記第１の要素の数値および前記第２の要素の数値に基づいて、前記第１の要素の数値に基づいて、前記第１の要素の数値および前記第３の数値に基づいて、そして前記第６の要素の数値に基づいて、それぞれ、前記番組の評価値を算出する
ことを特徴とする請求項３に記載の情報処理装置。
【請求項５】
前記番組は、シリーズで放送される番組であり、
前記数値化手段は、シリーズで放送される番組の前記番組情報をそれぞれ数値化し、
前記評価手段は、前記数値化手段による数値化の結果得られた数値に基づいて、シリーズで放送される前記番組毎に評価し、
前記図式化手段は、前記評価手段による評価の結果得られた評価値を、時系列に配置して、前記評価結果を図式化する
ことを特徴とする請求項１に記載の通信装置。
【請求項６】
番組の番組情報を取得する取得ステップと、
前記番組情報を数値化する数値化ステップと、
前記数値化ステップの処理での数値化により得られた数値に基づいて、前記番組を評価する評価ステップと、
前記評価ステップの処理での評価結果をまとめて図式化する図式化ステップと、
前記図式化ステップの処理で図示化された前記評価結果を提示する提示ステップと
を含むことを特徴とする情報処理方法。
【請求項７】
番組の番組情報を取得する取得ステップと、
前記番組情報を数値化する数値化ステップと、
前記数値化ステップの処理での数値化により得られた数値に基づいて、前記番組を評価する評価ステップと、
前記評価ステップの処理での評価結果をまとめて図式化する図式化ステップと、
前記図式化ステップの処理で図示化された前記評価結果を提示する提示ステップと
を含むことを特徴とするプログラム。
【発明の詳細な説明】
【技術分野】
【０００１】
本発明は、情報処理装置および方法、並びにプログラムに関し、ユーザの番組選択に最適な情報を提供することができるようにした情報処理装置および方法、並びにプログラムに関するものである。
【背景技術】
【０００２】
地上デジタル放送の開始や、ハードディスク録画の高機能化等に伴って、テレビジョン放送番組を視聴できる機会が大幅に増加している。その結果ユーザは、いろいろな番組を視聴できるようになったが一方で、膨大な視聴可能番組から視聴したい番組を選択する必要がある。
【０００３】
そこで、視聴率（特許文献１）や、インターネット上の視聴者などから発信される番組に対する記述から視聴者の番組への関心度（特許文献２）を、ユーザの番組選択の判断材料として提供する方法も提案されている。
【０００４】
【特許文献１】特開平０９−２６１６０９号公報
【特許文献２】特開２００２−２７９０２６号公報
【発明の開示】
【発明が解決しようとする課題】
【０００５】
しかしながら、従来においては、視聴率や関心度などの判断材料は、それぞれ個別に提供されるので、複数の判断材料から、それらを総合的に利用して、番組選択を行うことは容易ではなかった。
【０００６】
本発明ではこのような状況に鑑みてなされたものであり、複数の判断材料を総合的に利用できるように判断材料を提供できるようにするものである。
【課題を解決するための手段】
【０００７】
本発明の情報処理装置は、番組の番組情報を取得する取得手段と、番組情報を数値化する数値化手段と、数値化手段による数値化により得られた数値に基づいて、番組を評価する評価手段と、評価手段による評価結果をまとめて図式化する図式化手段と、図式化手段により図示化された評価結果を提示する提示手段とを備えることを特徴とする。
【０００８】
番組情報は、所定の要素を含んで構成されており、数値化手段は、要素毎に数値化を行い、評価手段は、数値化手段による数値化の結果得られた所定の要素の数値に基づいて、番組を評価することができる。
【０００９】
取得手段は、所定の番組の視聴率、番組説明、キーワード、放送時間に関する情報、番組の出演者に関する情報、番組紹介サイトに寄せられた番組の感想とその数、番組紹介情報の再利用の回数、番組のオフィシャルサイトに寄せられたコメントの数、所定の端末の番組の利用履歴を取得し、数値化手段は、番組説明および番組紹介サイトに寄せられた感想を第１の要素とし、キーワードを第２の要素とし、放送時間に関する情報を第３の要素とし、番組紹介サイトに寄せられた番組の感想の数および番組オフィシャルサイトに寄せられたコメントの数を第４の要素とし、番組紹介情報の再利用の回数を第５の要素とし、視聴率と利用履歴を第６の要素とし、番組の出演者に関する情報を第７の要素として、第１の要素乃至第７の要素毎に数値化を行うことができる。
【００１０】
評価手段は、第１の要素の数値、第２の要素の数値、第４の要素の数値、第５の要素の数値、および第６の要素の数値に基づいて、第３の要素の数値に基づいて、第１の要素の数値および第２の要素の数値に基づいて、第１の要素の数値に基づいて、第１の要素の数値および第３の数値に基づいて、そして第６の要素の数値に基づいて、それぞれ、番組の評価値を算出することができる。
【００１１】
番組は、シリーズで放送される番組であり、数値化手段は、シリーズで放送される番組の番組情報をそれぞれ数値化し、評価手段は、数値化手段による数値化の結果得られた数値に基づいて、シリーズで放送される番組毎に評価し、図式化手段は、評価手段による評価の結果得られた評価値を、時系列に配置して、評価結果を図式化することができる。
【００１２】
本発明の情報処理方法は、番組の番組情報を取得する取得ステップと、番組情報を数値化する数値化ステップと、数値化ステップの処理での数値化により得られた数値に基づいて、番組を評価する評価ステップと、評価ステップの処理での評価結果をまとめて図式化する図式化ステップと、図式化ステップの処理で図示化された評価結果を提示する提示ステップとを含むことを特徴とする。
【００１３】
本発明のプログラムは、番組の番組情報を取得する取得ステップと、番組情報を数値化する数値化ステップと、数値化ステップの処理での数値化により得られた数値に基づいて、番組を評価する評価ステップと、評価ステップの処理での評価結果をまとめて図式化する図式化ステップと、図式化ステップの処理で図示化された評価結果を提示する提示ステップとを含むことを特徴とする。
【００１４】
本発明の情報処理装置および方法、並びにプログラムにおいては、番組の番組情報が取得され、番組情報が数値化され、数値化により得られた数値に基づいて、番組が評価され、その評価結果がまとめて図式化され、図示化された評価結果が提示される。
【発明の効果】
【００１５】
本発明によれば、番組選択を容易に行うことができるようにするものである。
【発明を実施するための最良の形態】
【００１６】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１７】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００１８】
本発明の情報処理装置は、番組の番組情報を取得する取得手段（例えば、図５の取得部５１）と、番組情報を数値化する数値化手段（例えば、図５の解析部５２）と、数値化手段による数値化により得られた数値に基づいて、番組を評価する評価手段（例えば、図５の評価部５３）と、評価手段による評価結果をまとめて図式化する図式化手段（例えば、図５の視覚化部５４）と、図式化手段により図示化された評価結果（例えば、図７、図８、図図１３、図１４）を提示する提示手段（例えば、図５の表示部１７）とを備えることを特徴とする。
【００１９】
番組情報は、所定の要素を含んで構成されており、数値化手段は、要素毎に数値化を行い、評価手段は、数値化手段による数値化の結果得られた所定の要素の数値に基づいて、番組を評価することができる。
【００２０】
取得手段は、所定の番組の視聴率、番組説明、キーワード、放送時間に関する情報、番組の出演者に関する情報、番組紹介サイトに寄せられた番組の感想とその数、番組紹介情報の再利用の回数、番組のオフィシャルサイトに寄せられたコメントの数、所定の端末の番組の利用履歴を取得し、数値化手段は、番組説明および番組紹介サイトに寄せられた感想を第１の要素とし、キーワードを第２の要素とし、放送時間に関する情報を第３の要素とし、番組紹介サイトに寄せられた番組の感想の数および番組オフィシャルサイトに寄せられたコメントの数を第４の要素とし、番組紹介情報の再利用の回数を第５の要素とし、視聴率と利用履歴を第６の要素とし、番組の出演者に関する情報を第７の要素として、第１の要素乃至第７の要素毎に数値化を行うことができる（例えば、図６）。
【００２１】
評価手段は、第１の要素の数値、第２の要素の数値、第４の要素の数値、第５の要素の数値、および第６の要素の数値に基づいて、第３の要素の数値に基づいて、第１の要素の数値および第２の要素の数値に基づいて、第１の要素の数値に基づいて、第１の要素の数値および第３の数値に基づいて、そして第６の要素の数値に基づいて、それぞれ、番組の評価値を算出することができる（例えば、図６）。
【００２２】
番組は、シリーズで放送される番組であり、数値化手段は、シリーズで放送される番組の番組情報をそれぞれ数値化し（例えば、図１５）、評価手段は、数値化手段による数値化の結果得られた数値に基づいて、シリーズで放送される番組毎に評価し（例えば、図１５）、図式化手段は、評価手段による評価の結果得られた評価値を、時系列に配置して、評価結果を図式化することができる（例えば、図１６）。
【００２３】
図１は、本発明を適用した端末５の利用例を示している。
【００２４】
サーバ１は、テレビジョン放送される番組の視聴率を集計し、要求に応じて、ネットワーク６を介して端末５に供給する。
【００２５】
サーバ２は、テレビジョン放送番組を紹介するためのホームページをネットワーク６上に開設している。このページでは、図２に示すような入力画面を利用する記述ツールが利用されて入力された情報等が紹介される。
【００２６】
この入力画面により、放送日、放送曜日、放送局、放送開始時刻と終了時刻、タイトル、番組のURL、番組説明、出演者、キーワード等の情報（以下、個々に区別する必要がない場合、これらの情報をまとめて番組紹介情報と称する）を入力することができる。
【００２７】
図３は、サーバ２によって提示される番組紹介画面の一例を示している。この例では、入力画面に入力された番組紹介情報の一部である、タイトル、放送日、放送曜日、放送開始時刻と終了時刻、放送局、および出演者、並びに別途サーバ２に寄せられた番組の感想が表示される。
【００２８】
なおサーバ２で利用される記述ツールでは、番組紹介情報（図２）を入力画面に入力した後、ボタンＢ１を操作すれば、入力された情報がメタデータとしてサーバ２に記憶されるので、例えばこの番組が毎週放送される場合において、次週放送分の番組の番組紹介情報を入力するとき、メタデータとして記憶された先週放送分の情報を利用することができる。すなわち番組紹介情報を再利用が可能となる。
【００２９】
図１に戻りサーバ２は、要求に応じて、所定の番組の番組紹介情報、そのサーバ２に寄せられた番組の感想やその数、および番組紹介情報の再利用の回数を、ネットワーク６を介して端末５に供給する。
【００３０】
サーバ３は、所定の番組（例えば、番組Ｐ１）のオフィシャルサイトとしてのホームページをネットワーク６上に開設している。このホームページには、番組Ｐ１についての詳細な情報が提示されている。サーバ３は、このオフィシャルサイトを介して受け付けた番組のコメントの数を、要求に応じて、端末５に供給する。
【００３１】
CE機器４は、例えば、端末５のユーザが使用しており、そのユーザが指定した番組を再生したり録画するとともに、その視聴および録画した履歴（以下、利用履歴と称する）を記憶し、要求に応じて、ネットワーク６を介して端末５に供給する。
【００３２】
端末５は、サーバ１乃至CE機器４と、ネットワーク６を介して通信し、それらから「放送番組の視聴率」、「番組紹介情報」、「サーバ２に寄せられた番組の感想」や「その数」、「番組紹介情報が再利用された回数」、「オフィシャルサイトに寄せられたコメントの数」、および「利用履歴」（以下、個々に区別する必要がない場合、単に、番組情報と称する）を取得するとともに、取得したそれらの情報を数値化して番組を評価し、その評価結果を、まとめて図式化して表示する。
【００３３】
図４は、端末５の構成例を示している。CPU（Central Processing Unit）１１にはバス１５を介して入出力インタフェース１６が接続されており、CPU１１は、入出力インタフェース１６を介して、ユーザから、キーボード、マウスなどよりなる入力部１８から指令が入力されると、例えば、ROM（Read Only Memory）１２、ハードディスク１４、またはドライブ２０に装着される磁気ディスク３１、光ディスク３２、光磁気ディスク３３、若しくは半導体メモリ３４などの記録媒体に格納されているプログラムを、RAM（Random Access Memory）１３にロードして実行する。さらに、CPU１１は、その処理結果を、例えば、入出力インタフェース１６を介して、LCD（Liquid Crystal Display）などよりなる表示部１７に必要に応じて出力する。なお、プログラムは、ハードディスク１４やROM１２に予め記憶しておき、端末５と一体的にユーザに提供したり、磁気ディスク３１、光ディスク３２、光磁気ディスク３３，半導体メモリ３４等のパッケージメディアとして提供したり、衛星、ネットワーク等から通信部１９を介してハードディスク１４に提供することができる。
【００３４】
図５は、端末５の機能的構成例を示すブロック図である。
【００３５】
取得部５１（例えばＣＰＵ１１乃至ＲＡＭ１３、通信部１９により構成されている）は、ネットワーク６を介してサーバ１乃至CE機器４と通信し、サーバ１から、所定の番組（この例の場合、番組Ｐ１とする）の「視聴率」を、サーバ２から、番組Ｐ１の「番組紹介情報」とサーバ２に寄せられた番組Ｐ１の「感想」および「その数」、並びに「番組紹介情報の再利用の回数」を、サーバ３から、番組Ｐ１のオフィシャルサイトを介して受け付けた「コメントの数」を、そしてCE機器４から、「利用履歴」を、それぞれ取得する。すなわち取得部５１は、番組情報を取得する。取得された番組情報は、解析部５２に供給される。
【００３６】
解析部５２（例えばＣＰＵ１１乃至ハードディスク１４により構成されている）は、取得部５１から供給された番組情報を数値化し、その結果得られた解析値Ａを、評価部５３に供給する。ここで解析部５２の詳細を説明する。
【００３７】
解析部６１−１は、取得部５１から供給された番組Ｐ１の番組紹介情報（サーバ２）の中の「番組説明」や番組の「感想」（文字情報）から、所定の語句を抽出し、抽出した語句について数値解析を行う。
【００３８】
具体的には、解析部６１−１は、単語や語句が意味によって分類され、その分類毎に所定の数値が設定されているシソーラスデータベース（ＤＢ）７１を有しているので、そのシソーラスＤＢ７１から、抽出した語句に対応する数値を検出し、それを解析値Ａ１とする。
【００３９】
解析部６１−２は、取得部５１から供給された番組Ｐ１の番組紹介情報（サーバ２）の中の「キーワード」について数値解析を行う。
【００４０】
具体的には、解析部６１−２は、キーワードとなり得る語句が意味によって分類されているとともに、その分類毎に所定の数値が設定されているシソーラスＤＢ７２を有しているので、そのシソーラスＤＢ７２から、得られた「キーワード」に対応する数値を検出し、それを解析値Ａ２とする。
【００４１】
解析部６１−３は、取得部５１から供給された番組Ｐ１の番組紹介情報（サーバ２）の中の「放送開始時刻」と「終了時刻」について数値解析を行う。
【００４２】
具体的には、解析部６１−３は、所定の時刻（放送開始時刻や終了時刻）、または所定の時間（放送時間）毎に所定の数値が設定されたテーブルを有しているので、そのテーブルから、取得部５１から供給された「放送開始時刻」および「終了時刻」、並びに「放送時間」に応じた数値を検出し、それを、解析値Ａ３とする。
【００４３】
解析部６１−４は、取得部５１から供給された、番組Ｐ１の番組紹介サイトに寄せられた「感想の数」（サーバ２）や、番組Ｐ１のオフィシャルサイトに寄せられた「コメントの数」（サーバ３）を集計し、その集計結果に応じた値を、解析値Ａ４とする。
【００４４】
解析部６１−５は、取得部５１から供給された番組Ｐ１の「番組紹介情報が再利用された回数」（サーバ２）に応じた値を解析値Ａ５とする。
【００４５】
解析部６１−６は、取得部５１から供給された番組Ｐ１の「視聴率」（サーバ１）や番組Ｐ１の「利用履歴」（CE機器４）に応じた値を、解析値Ａ６とする。
【００４６】
解析部６１−７は、所得部５１から供給された番組Ｐ１の番組紹介情報（サーバ２）の中の「出演者」を数値化する。
【００４７】
具体的には、解析部６１−７は、タレント名毎に、そのタレントの著名度に応じた値が設定された著名人データベース７３を有しているので、そのデータベース７３から、出演者に対応する数値を検出し、それを解析値Ａ７とする。
【００４８】
解析部６１−１乃至６１−７は、数値解析の結果得られた解析値Ａ１乃至Ａ７を、評価部５３に供給する。なお図６に、解析部６１がどのような情報を解析して数値化を行っているかを、まとめて示している。
【００４９】
図５に戻り評価部５３（例えばＣＰＵ１１乃至ＲＡＭ１３より構成されている）は、解析部５２から供給された解析値Ａ１乃至Ａ７に基づいて、番組（番組Ｐ１）を所定の評価項目について評価する。
【００５０】
この例の場合、「話題度」、「視聴容易度」、「有効度」、「マニアック度」、「大人向け度」、および「キャスティングの著名度」の６個の評価項目が設けられ、その評価値は、１乃至５の５段階で示され、値が大きければ大きいほど、評価が高いことを意味する。
【００５１】
「話題度」は、図６にまとめて示してあるように、解析部６１−１、６１−２、６１−４、６１−５、および６１−６からの解析値Ａ１、Ａ２、Ａ４、Ａ５、およびＡ６に基づいて定められるものであり、その番組が話題になっている度合いを表す。
【００５２】
「視聴容易度」は、解析部６１−３からの解析値Ａ３に基づいて定められるものであり、その番組の放送時刻等からみて、視聴し易い番組である度合いを表す。
【００５３】
例えば、午後７時から７時半までの３０分間放送される番組は、午後１１時から午前２時までの３時間放送される番組に比べ、視聴が容易な番組とされる。
【００５４】
「有効度」は、解析部６１−１および６１−２からの解析値Ａ１およびＡ２に基づいて定められるものであり、その番組が、例えば教育上有効な番組である度合いを示す。
【００５５】
「マニアック度」は、解析部６１−１からの解析値Ａ１に基づいて定められるものであり、その番組の内容が、特定の趣味に特化している度合いを表す。
【００５６】
「大人向け度」は、解析部６１−１および６１−３からの解析値Ａ１およびＡ３に基づいて定められるものであり、その番組が、大人向けの番組である度合いを表す。
【００５７】
「キャスティングの著名度」は、解析部６１−７からの解析値Ａ７に基づいて定められるものであり、出演者の著名度を表す。
【００５８】
評価部５３は、評価の結果得られた各評価項目の評価値を、視覚化部５４に供給する。
【００５９】
視覚化部５４は、評価部５３から供給された上述した６項目の評価値を、例えば図７または図８に示すように図式化し、表示部１７に出力し、表示させる。
【００６０】
以上のように、番組情報を数値化し、その結果得られた数値に基づいて、所定の項目についての番組評価を行うとともに、その評価結果を図式化してユーザに提示するようにしたので、ユーザは、複数の評価結果を総合的に利用して番組選択を行うことができる。なおここでなされる番組の評価は、一般的な基準に基づくものあるので（システムがユーザの嗜好を独自に判断して評価しているものでないので）、ユーザは、この評価結果を客観的に利用して、自己の所望する番組を選択することができる。
【００６１】
次に、図９に示すような番組Ｐ１の番組情報が取得部５１により取得された場合を例として、解析部５２乃至視覚化部５４の動作を説明する。
【００６２】
解析部５２の解析部６１−１は、取得部５１から供給された番組Ｐ１の番組紹介情報の「番組説明」と「番組の感想」を、語句単位に分解し、「戦国時代」、「先生」、および「忍者」の語句を得る。
【００６３】
解析部６１−１は、シソーラスＤＢ７１で定義されている、「戦国時代」、「先生」、および「忍者」の数値から、解析値Ａ１を得る。
【００６４】
なお解析部６１−１による解析値Ａ１は、図６に示したように（図６を横に見ると）、「話題度」、「有効度」、「マニアック度」、および「大人向け度」の評価項目での評価に利用されるので、シソーラスＤＢ７１では、それらの評価項目毎に、語句の数値が設定されている。
【００６５】
その結果、この例の場合、「戦国時代」、「先生」、および「忍者」についての解析値Ａ１は、「話題度」の評価項目では、０ポイント、「有効度」の評価項目については、２０ポイント、「マニアック度」の評価項目では、４０ポイント、そして「大人向け度」の評価項目では、５ポイントとなる。
【００６６】
解析部６１−２は、取得部５１から供給されたＰ１の番組紹介情報の中のキーワードである「アニメ」および「子供向け」を得る。そして解析部６１−２は、シソーラスＤＢ７２で定義されている、「アニメ」および「子供向け」の数値から、解析値Ａ２を得る。
【００６７】
なお解析部６１−２による解析値Ａ２は、図６に示したように、「話題度」および「有効度」の評価項目での評価に利用されるので、シソーラスＤＢ７２では、それらの評価項目毎に、キーワードの数値が設定されている。
【００６８】
その結果この例の場合、「アニメ」および「子供向け」についての解析値Ａ２は、「話題度」の評価項目では、０ポイント、そして「有効度」の評価項目では、１０ポイントが、解析値Ａ２となる。
【００６９】
解析部６１−３は、取得部５１から供給された番組Ｐ１の番組紹介情報の中の放送開始時刻である「１８時」と終了時刻である「１８時３０分」に応じた値を、解析値Ａ３とする。
【００７０】
なお解析部６１−３による解析値Ａ３は、「視聴容易度」および「大人向け度」の評価項目での評価に利用されるので、解析部６１−３は、それらの評価項目毎に、評価値を定義している。
【００７１】
例えば「視聴容易度」については、図１０に示すような、放送開始時刻に応じたポイントを示すテーブル、または図１１に示すような放送時間に応じたポイントを示すテーブルを利用して、解析値Ａ３を決定することができる。
【００７２】
また「大人向け度」については、図１２に示すような、放送開始時刻に応じたポイントを示すテーブルを利用して、解析値Ａ３を決定することができる。
【００７３】
その結果この例の場合、放送開始時刻（１８時）および放送終了時刻（１８時３０分）についての解析値Ａ３は、「視聴容易度」の評価項目では、３０ポイント（図１０、図１１）、そして「大人向け度」の評価項目では、１０ポイント（図１２）となる。
【００７４】
なおここでは、番組紹介情報の中の「放送開始時刻」と「終了時刻」から解析値Ａ３を求めるようにしたが、「番組説明」等から、「ゴールデンタイム」や「長時間」等の放送時間に関する文言を抽出して、その文言から解析値Ａ３を求めるようにすることもできる。具体的には、放送時間に関する文言についてのシソーラスデータベースを設け、それから抽出した放送時間に関する文言に対応する数値を検出して解析値Ａ３とする。
【００７５】
解析部６１−４は、取得部５１から供給された、番組Ｐ１の感想の数である「３個」とコメントの数である「１個」を合計し、その結果得られた数（４個）に応じた値の２０ポイントを、解析値Ａ４とする。
【００７６】
解析部６１−５は、取得部５１から供給された、番組Ｐ１の番組紹介情報の再利用の回数である「０回」に応じた０ポイントを、解析値Ａ５とする。
【００７７】
解析部６１−６は、取得部５１から供給された番組Ｐ１の視聴率である「１０％」と利用履歴である「利用無し」に応じた値の１０ポイントを、解析値Ａ６とする。
【００７８】
解析部６１−７は、番組Ｐ１の出演者である「乱たま乱大郎」に対応する１０ポイントを、解析部Ａ７とする。
【００７９】
以上のように解析部６１−１乃至６１−７で得られた解析値Ａは、評価部５３に供給される。
【００８０】
評価部５３は、解析部６１−１乃至６１−７のそれぞれ供給された解析値Ａ１乃至Ａ７に基づいて、番組Ｐ１を、６個の評価項目について評価する。この例の場合、例えば、「話題度」は、２段階目、「視聴容易度」は、４段階目、「有効度」は、３段階目、「マニアック度」は、２段階目、「大人向け度」は、１段階目、そして「キャスティング度」は、１段階目とされる。
【００８１】
評価部５３での評価結果は、視覚化部５４に供給される。
【００８２】
視覚化部５４は、評価部５３から得られた評価結果を、図７および図８に示したように図式化し、表示部１７を介して表示する。
【００８３】
なお以上においては、視覚化部５４は、１つの番組の各評価結果をまとめて図式化し、提示するようにしたが、複数の番組の評価結果を記憶しておき、所定の評価項目について、複数の番組の評価結果を表示することもできる。
【００８４】
図１３および図１４の例では、番組Ｐ１乃至Ｐ４の、「話題度」と「大人向け度」の評価結果を、図式化したものである。
【００８５】
このように複数の番組についての評価結果をまとめて図式化すれば、ユーザは、その項目について番組比較を容易に行うことができるので、番組選択をより効率的に行うことができる。
【００８６】
なお番組の評価は、上述したような解析値Ａの組み合わせに限られるものではなく、他の組み合わせに基づいて新たな評価を行うことができる。例えば、解析値Ａ２と解析値Ａ４の組み合わせに基づいて評価することもできる。
【００８７】
また以上においては、１回放送分の番組についての評価結果が示されたが、例えばシリーズものの番組について、所定の評価項目の評価結果を時系列的に表示することもできる。
【００８８】
例えば、解析値Ａ２と解析値Ａ４の組み合わせに基づいて、毎週放送される番組（料理番組）を評価する場合において、図１５に示すような、解析値Ａ２とＡ４が得られ、その評価結果が、図１５に示すように得られた場合、図１６に示すようなチャートを、ユーザに提示することができる。
【００８９】
なお、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【００９０】
【図１】本発明を適用した端末の利用例を示す図である。
【図２】番組紹介情報を入力する際に利用される入力画面の例を示す図である。
【図３】番組紹介画面の例を示す図である。
【図４】図１の端末の構成例を示すブロック図である。
【図５】図１の端末の機能的構成例を示すブロック図である。
【図６】図５の解析部が解析する情報および評価部が利用する解析値との関係を示す図である。
【図７】評価結果を表す図である。
【図８】評価結果を表す他の図である。
【図９】取得した番組情報の例を示す図である。
【図１０】放送時間に関する情報を数値化するためのテーブルを示す図である。
【図１１】放送時間に関する情報を数値化するための他のテーブルを示す図である。
【図１２】放送時間に関する情報を数値化するための他のテーブルを示す図である。
【図１３】評価結果を表す他の図である。
【図１４】評価結果を表す他の図である。
【図１５】取得した番組情報の他の例を示す図である。
【図１６】評価結果を表す他の図である。
【符号の説明】
【００９１】
１  サーバ，  ２  サーバ，  ３  サーバ，  ４  CE機器，  ５  端末，  １７  表示部，  ５１  取得部，  ５２  解析部，  ５３  評価部，  ５４  視覚化部
【図１】
2006060600.tif 000003
【図２】
2006060600.tif 000004
【図３】
2006060600.tif 000005
【図４】
2006060600.tif 000006
【図５】
2006060600.tif 000007
【図６】
2006060600.tif 000008
【図７】
2006060600.tif 000009
【図８】
2006060600.tif 000010
【図９】
2006060600.tif 000011
【図１０】
2006060600.tif 000012
【図１１】
2006060600.tif 000013
【図１２】
2006060600.tif 000014
【図１３】
2006060600.tif 000015
【図１４】
2006060600.tif 000016
【図１５】
2006060600.tif 000017
【図１６】
2006060600.tif 000018
【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
番組の番組情報を取得する取得手段と、  前記番組情報を数値化する数値化手段と、  前記数値化手段による数値化により得られた数値に基づいて、前記番組を評価する評価手段と、  前記評価手段による評価結果をまとめて図式化する図式化手段と、  前記図式化手段により図示化された前記評価結果を提示する提示手段と  を備えることを特徴とする情報処理装置。
【請求項２】
前記番組情報は、所定の要素を含んで構成されており、  前記数値化手段は、前記要素毎に数値化を行い、  前記評価手段は、前記数値化手段による数値化の結果得られた所定の前記要素の数値に基づいて、前記番組を評価する  ことを特徴とする請求項１に記載の情報処理装置。
【請求項３】
前記取得手段は、所定の番組の視聴率、番組説明、キーワード、放送時間に関する情報、番組の出演者に関する情報、番組紹介サイトに寄せられた番組の感想とその数、番組紹介情報の再利用の回数、前記番組のオフィシャルサイトに寄せられたコメントの数、所定の端末の前記番組の利用履歴を取得し、  前記数値化手段は、  前記番組説明および前記番組紹介サイトに寄せられた感想を第１の要素とし、  前記キーワードを第２の要素とし、  前記放送時間に関する情報を第３の要素とし、  前記番組紹介サイトに寄せられた前記番組の感想の数および前記番組オフィシャルサイトに寄せられたコメントの数を第４の要素とし、  前記番組紹介情報の再利用の回数を第５の要素とし、  前記視聴率と前記利用履歴を第６の要素とし、  前記番組の出演者に関する情報を第７の要素として、  前記第１の要素乃至前記第７の要素毎に数値化を行う  ことを特徴とする請求項２に記載の情報処理装置。
【請求項４】
前記評価手段は、前記第１の要素の数値、前記第２の要素の数値、前記第４の要素の数値、前記第５の要素の数値、および前記第６の要素の数値に基づいて、前記第３の要素の数値に基づいて、前記第１の要素の数値および前記第２の要素の数値に基づいて、前記第１の要素の数値に基づいて、前記第１の要素の数値および前記第３の数値に基づいて、そして前記第６の要素の数値に基づいて、それぞれ、前記番組の評価値を算出する  ことを特徴とする請求項３に記載の情報処理装置。
【請求項５】
前記番組は、シリーズで放送される番組であり、  前記数値化手段は、シリーズで放送される番組の前記番組情報をそれぞれ数値化し、  前記評価手段は、前記数値化手段による数値化の結果得られた数値に基づいて、シリーズで放送される前記番組毎に評価し、  前記図式化手段は、前記評価手段による評価の結果得られた評価値を、時系列に配置して、前記評価結果を図式化する  ことを特徴とする請求項１に記載の情報処理装置。
【請求項６】
番組の番組情報を取得する取得ステップと、  前記番組情報を数値化する数値化ステップと、  前記数値化ステップの処理での数値化により得られた数値に基づいて、前記番組を評価する評価ステップと、  前記評価ステップの処理での評価結果をまとめて図式化する図式化ステップと、  前記図式化ステップの処理で図示化された前記評価結果を提示する提示ステップと  を含むことを特徴とする情報処理方法。
【請求項７】
番組の番組情報を取得する取得ステップと、  前記番組情報を数値化する数値化ステップと、  前記数値化ステップの処理での数値化により得られた数値に基づいて、前記番組を評価する評価ステップと、  前記評価ステップの処理での評価結果をまとめて図式化する図式化ステップと、  前記図式化ステップの処理で図示化された前記評価結果を提示する提示ステップと  を含むことを特徴とするプログラム。
【手続補正２】
【補正対象書類名】明細書
【補正対象項目名】００２１
【補正方法】変更
【補正の内容】
【００２１】  評価手段は、第１の要素の数値、第２の要素の数値、第４の要素の数値、第５の要素の数値、および第６の要素の数値に基づいて、例えば、図６の話題度を、第３の要素の数値に基づいて、例えば、図６の視聴容易度を、第１の要素の数値および第２の要素の数値に基づいて、例えば、図６の有効度を、第１の要素の数値に基づいて、例えば、図６のマニアック度を、第１の要素の数値および第３の数値に基づいて、例えば、図６の大人向け度を、そして第６の要素の数値に基づいて、例えば、図６の著名度を、それぞれ算出することができる。
【手続補正３】
【補正対象書類名】明細書
【補正対象項目名】００２８
【補正方法】変更
【補正の内容】
【００２８】  なおサーバ２で利用される記述ツールでは、番組紹介情報（図２）を入力画面に入力した後、ボタンＢ１を操作すれば、入力された情報がメタデータとしてサーバ２に記憶されるので、例えばこの番組が毎週放送される場合において、次週放送分の番組の番組紹介情報を入力するとき、メタデータとして記憶された先週放送分の情報を利用することができる。すなわち番組紹介情報の再利用が可能となる。
【手続補正４】
【補正対象書類名】図面
【補正対象項目名】図９
【補正方法】変更
【補正の内容】
【図９】
2006060600.tif 000019